(57)【特許請求の範囲】
【請求項１】
原稿を一枚ずつ繰り出して搬送する原稿搬送部と、
原稿が載置されるコンタクトガラスと、
原稿に光を照射する光源と、
前記光源により光が照射された読み取り対象の画像を読み取る画像読取部と、
前記コンタクトガラス上に取り付けられた板状の白色基準部材と、
前記コンタクトガラス上に取り付けられた、２面を有する板状の部材であって、第１面が前記原稿搬送部によって搬送中の原稿の読取面に接触して当該原稿の付着物を取り除くように設けられ、前記第１面とは反対側の第２面が黒色である付着物除去部材と、
前記光源により光が照射された前記白色基準部材の画像を読み取り対象として前記画像読取部に読み取らせ、その読み取らせた画像を白基準データとして取得する白基準データ取得部と、
前記光源により光が照射された前記付着物除去部材の前記第２面の画像を読み取り対象として前記画像読取部に読み取らせ、その読み取らせた画像を黒基準データとして取得する黒基準データ取得部と、
前記原稿搬送部によって搬送中の原稿の画像を読み取り対象として前記画像読取部に読み取らせ、その読み取らせた画像を原稿データとして取得する第１読取処理を実行する読取制御部と、
前記白基準データと前記黒基準データとを用いて前記原稿データをシェーディング補正するシェーディング補正部と、
を備え、
前記光源は、
主走査方向に延びる、一端に発光素子が設けられた二つの導光体と、
前記二つの導光体の外側にそれぞれ設けられ、各前記導光体から出射される光を前記コンタクトガラスに向けて前記二つの導光体の間側へ反射する二つの導光体白カバーと、
を備え、
前記画像読取部は、
受光した光を光電変換する前記主走査方向に長尺の受光部と、前記読み取り対象により反射された光を前記受光部へ導く導光部とを備え、前記導光部は、前記主走査方向に延びるように側板を用いて連結された所定数の導光部材を複数備え、更に、隣接し合う前記所定数の導光部材の側板を透明の樹脂を用いて接着することにより、前記複数の所定数の導光部材を、前記二つの導光体の間において前記主走査方向に延びるように連結する連結部を備えて構成されている画像読取装置。
【請求項２】
前記読取制御部は、
前記光源及び前記画像読取部を副走査方向に移動させながら、前記画像読取部によって、原稿の画像を主走査方向１ライン分ずつ読み取らせ、前記原稿データを取得する第２読取処理を更に実行可能であり、
前記付着物除去部材及び前記白色基準部材は、前記第２読取処理によって原稿の画像の読み取りが開始される位置よりも、前記読取制御部によって前記画像読取部が移動させられる方向とは逆の方向に配置され、
前記読取制御部は、前記第２読取処理によって原稿の画像を読み取らせる前に、前記黒基準データ取得部に前記黒基準データを取得させるとともに、前記第２読取処理によって原稿の画像を読み取らせる前に、前記白基準データ取得部に前記白基準データを取得させる請求項１に記載の画像読取装置。
【請求項３】
請求項１または２に記載の画像読取装置と、
前記画像読取部によって読み取られたデータを用いて画像形成を行う画像形成部と、
を備える画像形成装置。
【発明の詳細な説明】
【技術分野】
【０００１】
本発明は、画像読取装置及び当該画像読取装置を備えた画像形成装置に関し、特に、原稿を読み取った画像をシェーディング補正する技術に関する。
【背景技術】
【０００２】
従来から、画像読取装置では、蛍光灯やＬＥＤ等の光源によって原稿に光を照射し、当該原稿からの反射光を光電変換素子で光電変換して出力させることによって、当該原稿の画像を読み取るように構成されている。また、このような画像読取装置では、光源による照明の配光ムラや光電変換素子の各素子間の感度差を補正するためにシェーディング補正が行われている。
【０００３】
具体的には、例えば、下記特許文献１に記載されているように、シェーディング補正に用いられる白基準レベルの値（白基準データ）は、光源をオンにして白基準板の反射光を光電変換素子により読み取ることによって生成される。一方、シェーディング補正に用いられる黒基準レベルの値（黒基準データ）は、光源をオフにしたときの光電変換素子による読取結果によって生成される。
【先行技術文献】
【特許文献】
【０００４】
【特許文献１】特開２００１−５１３６４号公報
【発明の概要】
【発明が解決しようとする課題】
【０００５】
しかしながら、光源をオンにして原稿の画像を読み取る場合には、例えば、原稿からの反射光を各光電素子に導くために設けられた複数の導光部材間に隙間が存在すること等に起因して、原稿からの反射光だけでなく、当該反射光とは異なる光が各光電素子に入射する虞があった。
【０００６】
このような場合に、上記特許文献１に記載された技術を用いて、シェーディング補正に用いられる黒基準データを、光源をオフにしたときの光電変換素子による読取結果によって生成すると、光電変換素子において、光源をオンにして黒色の原稿を読み取ったときの出力と光源をオフにしたときの出力とが大きく異なることとなり、シェーディング補正を精度良く行えない虞があった。
【０００７】
そこで、本発明は、このような事情に鑑みてなされたものであり、精度良くシェーディング補正を行うことができる画像読取装置及び画像形成装置を提供することを目的とする。
【課題を解決するための手段】
【０００８】
本発明に係る画像読取装置は、原稿を一枚ずつ繰り出して搬送する原稿搬送部と、原稿が載置されるコンタクトガラスと、原稿に光を照射する光源と、前記光源により光が照射された読み取り対象の画像を読み取る画像読取部と、前記コンタクトガラス上に取り付けられた板状の白色基準部材と、前記コンタクトガラス上に取り付けられた、２面を有する板状の部材であって、第１面が前記原稿搬送部によって搬送中の原稿の読取面に接触して当該原稿の付着物を取り除くように設けられ、前記第１面とは反対側の第２面が黒色である付着物除去部材と、前記光源により光が照射された前記白色基準部材の画像を読み取り対象として前記画像読取部に読み取らせ、その読み取らせた画像を白基準データとして取得する白基準データ取得部と、前記光源により光が照射された前記付着物除去部材の前記第２面の画像を読み取り対象として前記画像読取部に読み取らせ、その読み取らせた画像を黒基準データとして取得する黒基準データ取得部と、前記原稿搬送部によって搬送中の原稿の画像を読み取り対象として前記画像読取部に読み取らせ、その読み取らせた画像を原稿データとして取得する第１読取処理を実行する読取制御部と、前記白基準データと前記黒基準データとを用いて前記原稿データをシェーディング補正するシェーディング補正部と、を備え、前記光源は、主走査方向に延びる、一端に発光素子が設けられた二つの導光体と、前記二つの導光体の外側にそれぞれ設けられ、各前記導光体から出射される光を前記コンタクトガラスに向けて前記二つの導光体の間側へ反射する二つの導光体白カバーと、を備え、前記画像読取部は、受光した光を光電変換する前記主走査方向に長尺の受光部と、前記読み取り対象により反射された光を前記受光部へ導く導光部とを備え、前記導光部は、前記主走査方向に延びるように側板を用いて連結された所定数の導光部材を複数備え、更に、隣接し合う前記所定数の導光部材の側板を透明の樹脂を用いて接着することにより、前記複数の所定数の導光部材を、前記二つの導光体の間において前記主走査方向に延びるように連結する連結部を備えて構成されている。
【０００９】
光源から原稿に光を照射した場合には、例えば、画像読取部の導光経路に連結部が存在すること等に起因して、原稿からの反射光だけでなく、当該反射光とは異なる光が入射し、この明るさが加味されて原稿の画像が読み取られることがあるものと考えられる。
【００１０】
しかし、このような場合であっても、黒基準データ取得部は、付着物除去部材の第２面に光源から光を照射し、実際に第２面から反射された反射光、すなわち、当該面からの反射光と当該反射光とは異なる連結部等から入射した光を受光して、黒基準データを取得する。このため、シェーディング補正部は、実際に反射された反射光に基づく黒基準データを用いて、精度良くシェーディング補正を行うことができる。
【００１１】
また、第１面が原稿搬送部によって搬送中の原稿の読取面に接触して当該原稿の付着物を取り除くように設けられた付着物除去部材が、黒基準データ取得用の原稿として兼用されている。このため、シェーディング補正を行うに当って、別途黒基準データ取得用の原稿を画像読取装置に配設するスペースを省略することができ、または、別途黒基準データ取得用の原稿を手作業で載置する等の手間が発生することを回避することができる。
【００１２】
また、前記読取制御部は、前記光源及び前記画像読取部を副走査方向に移動させながら、前記画像読取部によって、原稿の画像を主走査方向１ライン分ずつ読み取らせ、前記原稿データを取得する第２読取処理を更に実行可能であり、前記付着物除去部材及び前記白色基準部材は、前記第２読取処理によって原稿の画像の読み取りが開始される位置よりも、前記読取制御部によって前記画像読取部が移動させられる方向とは逆の方向に配置され、前記読取制御部は、前記第２読取処理によって原稿の画像を読み取らせる前に、前記黒基準データ取得部に前記黒基準データを取得させるとともに、前記第２読取処理によって原稿の画像を読み取らせる前に、前記白基準データ取得部に前記白基準データを取得させることが好ましい。
【００１３】
この構成によれば、第２読取処理の実行時に、光源及び画像読取部の移動方向を反対側に戻すことなく、黒基準データ及び白基準データの取得後に原稿の画像を読み取らせ、効率よくシェーディング補正を行うことができる。
【００１６】
また、本発明に係る画像形成装置は、前記画像読取装置と、前記画像読取部によって読み取られたデータを用いて画像形成を行う画像形成部と、を備えることが好ましい。
【発明の効果】
【００１７】
本発明によれば、精度良くシェーディング補正を行うことができる画像読取装置及び画像形成装置を提供することが可能になる。
【図面の簡単な説明】
【００１８】
【図１】本発明に係る画像形成装置の一例としての複合機を示す概略断面図。
【図２】本発明に係る画像読取装置の一例を示す概略断面図。
【図３】本発明に係る付着物除去部材及び白色基準部材の一例を示す斜視図。
【図４】本発明に係る光源及び画像読取部の一例を示す拡大図。
【図５】複合機の電気的構成の一例を示すブロック図。
【図６】読取制御部等による原稿の読み取り動作の一例を示すフローチャート。
【図７】画像読取部の連結部の一例を示す拡大断面図。
【図８】（ａ）は、光源をオフにしたときにＣＣＤから出力された画像の一例を示す説明図、（ｂ）は、光源をオンにして付着物除去部材の第２面を読み取った画像の一例を示す説明図、（ｃ）は、（ｂ）において画像読取部の連結部近傍で読み取られた部分の拡大図。
【発明を実施するための形態】
【００１９】
以下、本発明に係る画像形成装置の一例としての複合機を図面に基づいて説明する。図１に示すように、複合機１は、コピー、プリンター、及びスキャナー等の複数の機能を兼ね備えたものであり、本体部２と、本体部２の左方に配設されたスタックトレイ３と、ユーザーが種々の操作指令等を入力するための操作部３６と、本体部２の上方に配設された原稿給紙装置（原稿搬送部）５と、本体部２の上部に配設された画像読取装置４と、を備えている。
【００２０】
本体部２は、複数の給紙カセット２３と、給紙カセット２３から記録紙を１枚ずつ繰り出して画像形成部２５へ搬送する給紙ローラー２４と、給紙カセット２３から搬送されてきた記録紙に画像を形成する画像形成部２５とを備えている。
【００２１】
画像形成部２５は、後述する画像読取装置４で取得された画像信号に基づきレーザー光等を出力して感光体ドラム２６を露光する光学ユニット２７と、感光体ドラム２６上にトナー像を形成する現像部２８と、感光体ドラム２６上のトナー像を記録紙に転写する転写部２９と、トナー像が転写された記録紙を加熱してトナー像を記録紙に定着させる搬送ローラー３０及びコロ３１からなる定着装置３２と、画像形成部２５内の用紙搬送路中に設けられ、記録紙をスタックトレイ３または排出トレイ３３まで搬送する搬送ローラー対３４及び３５等とを備えている。
【００２２】
尚、記録紙の両面に画像を形成する場合は、画像形成部２５で記録紙の一方の面に画像を形成した後、この記録紙を排出トレイ３３側の搬送ローラー３０及びコロ３１にニップされた状態とする。この状態で搬送ローラー３０を反転させて記録紙をスイッチバックさせ、記録紙を用紙搬送路に送って画像形成部２５の上流域に再度搬送し、画像形成部２５により他方の面に画像を形成した後、記録紙をスタックトレイ３または排出トレイ３３に排出する。
【００２３】
操作部３６は、ユーザーが印刷実行指示を入力するためのスタートキー３６１と、印刷部数等を入力するためのテンキー３６２と、各種複写動作の操作ガイド情報等を表示し、これら各種設定入力用にタッチパネル機能を有する液晶ディスプレイ等からなる表示部３６３と、表示部３６３で設定された設定内容等をリセットするリセットキー３６４と、実行中の印刷（画像形成）動作を停止させるためのストップキー３６５と、コピー機能、プリンター機能、スキャナー機能及びファクシミリ機能を切り換えるための機能切換キー３６６とを備えている。
【００２４】
原稿給紙装置５は、図２に示すように、原稿トレイ５１、給紙ローラー５２、搬送ドラム５３、排紙ローラー５４及び排紙トレイ５５を備え、ＡＤＦ（Auto Document Feeder：自動給紙装置）を構成している。
【００２５】
原稿トレイ５１は、原稿が載置される場所であり、原稿トレイ５１に載置された原稿は１枚ずつ給紙ローラー５２によって取り込まれて搬送ドラム５３へ搬送される。搬送ドラム５３を経由した原稿は、排紙ローラー５４によって排紙トレイ５５へ排出される。
【００２６】
画像読取装置４は、読み取り対象の画像を光学的に取得して画像信号を出力する。画像読取装置４は、図２に示すように、コンタクトガラス４１０、紙粉除去板（付着物除去部材）４１３、白色基準板（白色基準部材）４１４、光源４２ａ，４２ｂ、キャリッジ４７、結像レンズ（画像読取部における導光部）４８、ＣＣＤ（Charge Coupled Device、画像読取部における受光部）４９を備えている。光源４２ａ，４２ｂ、結像レンズ４８、及びＣＣＤ４９は、キャリッジ４７によって支持されている。
【００２７】
コンタクトガラス４１０は、幅広の原稿載置用ガラス４１２と原稿載置用ガラス４１２の左側に位置する細長い原稿自動読取用ガラス４１１とを備え、原稿を載置する面を構成している。
【００２８】
紙粉除去板４１３は、図３に示すように、画像読取装置４の前後方向（図３におけるＸ方向、図２の紙面に対して垂直方向）に延びる板状の部材であり、原稿自動読取用ガラス４１１上に取り付けられている。紙粉除去板４１３の原稿給紙装置５側の面（図２における上側の面）である第１面は、原稿給紙装置５によって搬送されてくる原稿の読取面（図２における下側の面）に接触し、原稿の読取面上の付着物を取り除くようになっている。また、紙粉除去板４１３の第１面とは反対側の面（図２における下側の面）は、黒色になっている。
【００２９】
白色基準板４１４は、図３に示すように、画像読取装置４の前後方向（図３におけるＸ方向、図２の紙面に対して垂直方向）に延びる板状の部材であり、原稿載置用ガラス４１２上に取り付けられている。白色基準板４１４の下側の面は、白色になっている。
【００３０】
光源４２ａ，４２ｂは、図４に示すように、画像読取装置４の前後方向（図４におけるＸ方向、図２の紙面に対して垂直方向）に延びるように構成され、その一端に、図略の例えば白色ＬＥＤ等の白色蛍光ランプを備えている。つまり、光源４２ａ，４２ｂは、当該白色蛍光ランプにより発光された光を画像読取装置４の前後方向（以下、主走査方向）に延びる線状にして、コンタクトガラス４１０に載置された原稿の主走査方向１ライン分を照射する。
【００３１】
結像レンズ４８は、図４に示すように、主走査方向（図４におけるＸ方向）に延びるように複数個設けられている。また、ＣＣＤ４９における複数の受光面が、各結像レンズ４８の下方の位置で各結像レンズ４８に対向するようにして（図２参照）、それぞれ設けられている。
【００３２】
また、所定数の主走査方向に連結された結像レンズ４８及びＣＣＤ４９によって、読取ユニットＲＵが構成されている。そして、複数の読取ユニットＲＵが、それぞれ連結部Ｃで連結されて、主走査方向１ライン分の長さを有するラインセンサ（画像読取部）が構成されている。つまり、ＣＣＤ４９の複数の受光面で受光された反射光は、光電変換されて、読み取り対象の主走査方向１ライン分の画像を構成する複数の画素の、各画素の明るさを示す画像信号として、それぞれ出力される。
【００３３】
尚、結像レンズ４８及びＣＣＤ４９の構成をこれに限定する趣旨ではない。例えば、主走査方向１ライン分の画像を構成する画素数に対応する数の結像レンズ４８及びＣＣＤ４９の受光面を備えた、主走査方向１ライン分の長さを有する１つの読取ユニットＲＵを構成し、当該１つの読取ユニットＲＵのみでラインセンサを構成してもよい。
【００３４】
上記構成の画像読取装置４による原稿の画像読取方法には、原稿載置用ガラス４１２上に載置された原稿を読み取るフラットベッド読取モード（第２読取処理）と、原稿給紙装置５によって原稿を搬送させ、原稿が原稿自動読取用ガラス４１１上を通過する際に、原稿を読み取るＡＤＦ読取モード（第１読取処理）の２種類の方法が存在する。
【００３５】
フラットベッド読取モードでは、光源４２ａ，４２ｂによって原稿載置用ガラス４１２上に載置された原稿が照射され、当該原稿からの反射光が結像レンズ４８に入射する。結像レンズ４８に入射した光は、ＣＣＤ４９の受光面で光電変換によって結像され、画像信号として出力される。１ライン分の読み取りが終了すると、主走査方向と直交する方向（副走査方向、図２乃至図４におけるＹ方向）にキャリッジ４７が移動され、次のラインの読み取りが行われる。
【００３６】
一方、ＡＤＦ読取モードでは、原稿給紙装置５によって搬送された原稿が、原稿自動読取用ガラス４１１と読取ガイド５９との隙間部を通過するときに、光源４２ａ，４２ｂによって原稿自動読取用ガラス４１１を介して原稿に光が照射される。当該原稿からの反射光は結像レンズ４８に入射し、結像レンズ４８に入射した光は、ＣＣＤ４９の受光面で光電変換によって結像され、画像信号として出力される。１ライン分の読み取りが終了すると、原稿が原稿給紙装置５によって搬送され、次のラインの読み取りが行われる。
【００３７】
次に、複合機１の電気的な構成について図５を用いて説明する。複合機１は、複合機１の各部の動作制御を司る制御部１０を備えている。制御部１０は、例えば、ＣＰＵと、ＲＯＭやＲＡＭ等のメモリと、を備えたマイクロコンピュータで構成されており、メモリに記憶された各種制御プログラムをＣＰＵによって実行することによって各部の動作制御を行う。
【００３８】
制御部１０は、上記の画像形成部２５、操作部３６、原稿給紙装置５、及び画像読取装置４と互いに通信可能なように接続されている。
【００３９】
制御部１０は、例えば、読取制御部１１、白基準データ取得部１２、黒基準データ取得部１３、及びシェーディング補正部１４として機能する制御プログラムをＣＰＵによって実行することによって、画像の読み取り動作の制御を行う。
【００４０】
読取制御部１１は、フラットベッド読取モード及びＡＤＦ読取モードで、コンタクトガラス４１０上に載置された原稿の画像を読み取る制御を行う。具体的には、読取制御部１１は、フラットベッド読取モードでは、図略のモーターに駆動信号を出力してキャリッジ４７を移動させながら、光源４２ａ，４２ｂに駆動信号を出力し、原稿載置用ガラス４１２上に載置された原稿に光を照射させる。そして、ＣＣＤ４９に、結像レンズ４８を介して受光面に入射された反射光を光電変換させることによって、当該原稿を読み取った画像を示す画像信号を出力させる。そして、当該画像信号をデジタル変換し、これを原稿データとして取得する。
【００４１】
一方、読取制御部１１は、ＡＤＦ読取モードでは、原稿給紙装置５を駆動して原稿トレイ５１に載置された原稿を１枚ずつ搬送させ、光源４２ａ，４２ｂに駆動信号を出力し、原稿自動読取用ガラス４１１上を通過する原稿に光を照射させる。そして、ＣＣＤ４９に、結像レンズ４８を介して受光面に入射された反射光を光電変換させることによって、当該原稿を読み取った画像を示す画像信号を出力させる。そして、当該画像信号をデジタル変換し、これを原稿データとして取得する。
【００４２】
白基準データ取得部１２は、図略のモーターに駆動信号を出力してキャリッジ４７を白色基準板４１４の下部まで移動させた後、光源４２ａ，４２ｂに駆動信号を出力し、白色基準板４１４の下側の白色の面に光を照射させる。そして、ＣＣＤ４９に、結像レンズ４８を介して受光面に入射された反射光を光電変換させることによって、当該白色基準板４１４の下側の白色の面を読み取った画像を示す画像信号を出力させる。そして、当該画像信号をデジタル変換し、これを白基準データとして取得する。
【００４３】
黒基準データ取得部１３は、図略のモーターに駆動信号を出力してキャリッジ４７を紙粉除去板４１３の下部まで移動させた後、光源４２ａ，４２ｂに駆動信号を出力し、紙粉除去板４１３の下側の黒色の面に光を照射させる。そして、ＣＣＤ４９に、結像レンズ４８を介して受光面に入射された反射光を光電変換させることによって、当該紙粉除去板４１３の下側の黒色の面を読み取った画像を示す画像信号を出力させる。そして、当該画像信号をデジタル変換し、これを黒基準データとして取得する。
【００４４】
シェーディング補正部１４は、白基準データ取得部１２で取得された白基準データ及び黒基準データ取得部１３で取得された黒基準データを用いて、読取制御部１１で取得された原稿データをシェーディング補正する。
【００４５】
具体的には、シェーディング補正部１４は、読取制御部１１で取得された原稿データが示す明るさの値と黒基準データが示す明るさの値との差分値を、白基準データが示す明るさの値と黒基準データが示す明るさの値との差分値で除算して、これに明るさの上限値を乗算することによって得られるデータを、シェーディング補正された原稿データとする。
【００４６】
以下、図６を用いて、読取制御部１１、白基準データ取得部１２、黒基準データ取得部１３、及びシェーディング補正部１４による原稿の読み取り動作の流れについて説明する。
【００４７】
ユーザーによって原稿トレイ５１または原稿載置用ガラス４１２上に原稿が載置され、例えば、操作部３６から入力されたコピー機能の実行指示に基づいて、原稿を読み取る動作が開始されると、黒基準データ取得部１３は、キャリッジ４７を紙粉除去板４１３の下部まで移動させた後（Ｓ１）、光源４２ａ，４２ｂに紙粉除去板４１３の下側の黒色の面に向けて光を照射させて、ＣＣＤ４９に当該紙粉除去板４１３の下側の黒色の面を読み取った画像を示す画像信号を出力させ、当該画像信号をデジタル変換して黒基準データを取得する（Ｓ２）。
【００４８】
そして、白基準データ取得部１２は、キャリッジ４７を白色基準板４１４の下部まで移動させた後（Ｓ３）、光源４２ａ，４２ｂに白色基準板４１４の下側の白色の面に向けて光を照射させて、ＣＣＤ４９に当該白色基準板４１４の下側の白色の面を読み取った画像を示す画像信号を出力させ、当該画像信号をデジタル変換して白基準データを取得する（Ｓ４）。
【００４９】
そして、例えば、操作部３６から入力されたコピー機能の実行指示等によって、ＡＤＦ読取モードで原稿を読み取ることが指示されていた場合には（Ｓ５；ＡＤＦ読取モード）、読取制御部１１は、キャリッジ４７の移動方向を逆方向にして、原稿自動読取用ガラス４１１の下部まで移動させた後（Ｓ６）、原稿給紙装置５を駆動して、原稿トレイ５１に載置された原稿を原稿自動読取用ガラス４１１上に搬送する（Ｓ７）。
【００５０】
一方、フラッドベッド読取モードで原稿を読み取ることが指示されていた場合には（Ｓ５；フラッドベッド読取モード）、読取制御部１１は、キャリッジ４７の移動方向をそのままにして、白色基準板４１４よりも先の位置に設けられた、原稿載置用ガラス４１２上の所定の読取開始位置の下部までキャリッジ４７を移動させる（Ｓ８）。
【００５１】
ステップＳ７及びステップＳ８が終了すると、読取制御部１１は、光源４２ａ，４２ｂを駆動し、原稿からの反射光をＣＣＤ４９により光電変換して画像信号を出力させることによって、主走査方向１ライン分の原稿の画像を読み取った原稿データを取得する（Ｓ９）。そして、シェーディング補正部１４は、ステップＳ２及びステップＳ４で取得された黒基準データと白基準データとを用いて、ステップＳ９で取得された主走査方向１ライン分の原稿の画像を読み取った原稿データをシェーディング補正する（Ｓ１０）。
【００５２】
そして、全ライン分の読み取りが完了していない場合であって（Ｓ１１；ＮＯ）、ＡＤＦ読取モードで原稿を読み取ることが指示されていたときには（Ｓ１２；ＡＤＦ読取モード）、読取制御部１１は、原稿給紙装置５に原稿を更に１ライン分搬送させた後（Ｓ１３）、ステップＳ９に戻って、次のラインの読み取りを行う。
【００５３】
一方、全ライン分の読み取りが完了していない場合であって（Ｓ１１；ＮＯ）、フラッドベッド読取モードで原稿を読み取ることが指示されていたときには（Ｓ１２；フラッドベッド読取モード）、読取制御部１１は、キャリッジ４７を１ライン分先に移動させた後（Ｓ１４）、ステップＳ９に戻って、次のラインの読み取りを行う。尚、全ライン分の読み取りが完了した場合は（Ｓ１１；ＹＥＳ）、読取制御部１１は、当該原稿の読み取り動作を終了する。
【００５４】
つまり、本発明に係る画像読取装置の一例は、画像読取装置４と制御部１０とを備えて構成されている。
【００５５】
例えば、図４に示すように、複数の読取ユニットＲＵがそれぞれ連結部Ｃで連結されて、主走査方向１ライン分の長さを有するラインセンサが構成されているような場合における、連結部Ｃの断面図の一例を図７に示す。
【００５６】
図７に示すように、光源４２ａ、４２ｂは、例えば、主走査方向（図７の紙面に対して垂直方向）に延びる、一旦に発光素子が設けられた導光体と、導光体から出射される光をコンタクトガラス４１０に向けて反射させるべく設けられた導光体白カバーとを備えて構成されている。また、隣接し合う結像レンズ４８を接着し、且つ、レンズ間からの光を遮光するために設けられた黒色の樹脂と、読取ユニットＲＵの一端の側板を接着する透明の樹脂とを用いて、複数の読取ユニットＲＵが連結されている。
【００５７】
このような構成において、光源４２ａ，４２ｂからコンタクトガラス４１０上の原稿に光を照射したときは、原稿からの反射光だけでなく、図７の破線部に示す光路で、導光体から出射される光及び導光体白カバーからの反射光がＣＣＤ４９の受光面に入射し、この明るさが加味されて原稿の画像が読み取られることがあるものと考えられる。
【００５８】
このような場合に、従来のように、光源４２ａ，４２ｂから光を出射させずに、ＣＣＤ４９から出力される画像信号をデジタル変換して黒基準データを取得すると、当該黒基準データは、例えば、図８（ａ）に示すように、主走査方向全域に渡って黒色の画像を示すことになる。
【００５９】
一方、上記実施形態の構成によれば、黒基準データ取得部１３は、紙粉除去板４１３の下側の黒色の面に光源４２ａ，４２ｂから光を照射し、当該面からの反射光と、図７の破線部に示す光路で入射した、導光体から出射される光及び導光体白カバーからの反射光を受光して、黒基準データを取得する。つまり、当該黒基準データは、例えば、図８（ｂ）及び図８（ｃ）に示すように、連結部Ｃの存在する主走査方向位置において、導光体から出射される光及び導光体白カバーからの反射光の影響を示す、本来の黒色よりも明るい筋を有する画像を示すことになる。
【００６０】
このため、上記実施形態の構成によれば、実際に黒色の原稿から反射された反射光に基づいて黒基準データを取得しているので、シェーディング補正部１４は、実際に連結部Ｃの存在する主走査方向位置において原稿の画像を読み取った場合に、連結部Ｃではない主走査方向位置においては本来よりも明るい色が黒色であることを加味して、明るい筋の画像をキャンセルするようにシェーディング補正を行うことができる。一方、図８（ａ）に示すように、主走査方向全域に渡って黒色の画像を示す黒基準データを用いてシェーディング補正を行った場合には、図８（ｂ）に表される明るい筋をキャンセルすることはできない。このように、上記実施形態の構成によれば、精度良くシェーディング補正を行うことができる。
【００６１】
また、紙粉除去板４１３は、上側の面が原稿給紙装置５によって搬送中の原稿の読取面に接触して当該原稿の付着物を取り除くように設けられ、更に、下側の面が黒基準データ取得用の原稿として兼用されている。このため、シェーディング補正を行うに当って、別途黒基準データ取得用の原稿を画像読取装置４に配設するスペースを省略することができ、または、別途黒基準データ取得用の原稿を手作業で原稿載置用ガラス４１２に載置する等の手間が発生することを回避することができる。
【００６２】
また、紙粉除去板４１３及び白色基準板４１４は、フラッドベッド読取モードで原稿の画像の読み取りが開始される位置よりも、読取制御部１１によってキャリッジ４７が移動させられる方向とは逆の方向に配置されている。
【００６３】
このため、読取制御部１１は、フラッドベッド読取モードで原稿の画像を読み取らせる前に、キャリッジ４７の移動方向を反対側に戻すことなく、黒基準データ取得部１３に黒基準データを取得させるとともに、白基準データ取得部１２に白基準データを取得させることができ、効率よくシェーディング補正を行うことができる。
【００６４】
ただし、白色基準板４１４が配置される位置はこれに限定する趣旨ではなく、例えば、原稿載置用ガラス４１２において、読取制御部１１によってキャリッジ４７が移動させられる方の端部に配置してもよい。
【００６５】
尚、上記実施形態では、本発明に係る画像読取装置を複合機１に適用する例について説明したが、これに限定する趣旨ではない。本発明に係る画像読取装置は、当該画像読取装置における画像読取部によって読み取られたデータを用いて画像形成を行う画像形成部を備える、カラー画像形成用のカラープリンターや、スキャナー、ファクシミリ装置等の画像形成装置に適用してもよい。
【００６６】
また、上記実施形態において図１乃至図６に示した構成及び設定は単なる一例に過ぎず、本発明を当該実施形態に限定する趣旨ではない。
【符号の説明】
【００６７】
１      複合機（画像形成装置）
１０    制御部
１１    読取制御部
１２    白基準データ取得部
１３    黒基準データ取得部
１４    シェーディング補正部
２５    画像形成部
３６    操作部
４      画像読取装置
４１０  コンタクトガラス
４１１  原稿自動読取用ガラス
４１２  原稿載置用ガラス
４１３  紙粉除去板（付着物除去部材）
４１４  白色基準板（白色基準部材）
４２ａ  光源
４２ｂ  光源
４７    キャリッジ
４８    結像レンズ（画像読取部における導光部）
４９    ＣＣＤ（画像読取部における受光部）
５      原稿給紙装置（原稿搬送部）
【図１】
0005789491.tif 000002
【図２】
0005789491.tif 000003
【図３】
0005789491.tif 000004
【図４】
0005789491.tif 000005
【図５】
0005789491.tif 000006
【図６】
0005789491.tif 000007
【図７】
0005789491.tif 000008
【図８】
0005789491.tif 000009